(57)【要約】【課題】  ブーケを持つ人の動きに合わせて、花やグリーンが自然に揺れる個性的なブーケを実現する。【解決手段】  花及びグリーンにワイヤーを固定してフローラルテープを巻いたブーケ材３１，３２を複数用意し、これらブーケ材３１，３２を仮想軸線に沿って束ねることによってガーランド（花綱）１を製作し、このガーランド１を１本用い、或いは複数のガーランド１を束ねて、ブーケを製作する。ブーケ材３１，３２を固定する際、及び、ガーランド１を束ねる際には、花及びグリーンが所望の揺れ方で揺れるように先端までの長さにゆとりを持たせ、かつ、ワイヤーの太さの選択等により弾性を適宜調整して、美しく揺れるブーケを実現する。【選択図】  図１０ 
2006009164.tif 000002
【特許請求の範囲】
【請求項１】
花にワイヤーを固定してなる花材と、グリーンにワイヤーを固定してなるグリーン材とのいずれかまたは両方を含む複数のブーケ材を用いてブーケを製作するためのブーケの製法であって、
複数の前記ブーケ材を束ねてガーランドを製作し、
１または複数の前記ブーケ材とともに芯材を束ねて芯入りガーランドを製作し、
前記芯入りガーランドを中心として複数の前記ガーランドを束ねることによって前記ブーケを製作すること、
を特徴とするブーケの製法。
【請求項２】
前記芯入りガーランドを中心として複数の前記ガーランドを束ねる際に、前記芯入りガーランドと複数の前記ガーランドとをワイヤーによって結束し、
前記ワイヤーにより結束される結束箇所を隠す位置に、前記グリーン材を含む前記ガーランド、或いは、前記グリーン材を配置すること、
を特徴とする請求項１記載のブーケの製法。
【請求項３】
前記花材または前記グリーン材は、前記ワイヤーの上に別の前記ワイヤーを重ね、これら複数の前記ワイヤーを覆うようにフローラルテープを巻いて構成されることを特徴とする請求項１または２記載のブーケの製法。
【請求項４】
複数の前記ブーケ材を束ねて前記ガーランドを製作する際に、これら複数の前記ブーケ材のうち１以上の前記ブーケ材のワイヤーの一部を切除することを特徴とする請求項１から３のいずれかに記載のブーケの製法。
【請求項５】
前記花材を構成する花は、生の花に乾燥加工を施した加工花、若しくは造花であることを特徴とする請求項１から４のいずれかに記載のブーケの製法。
【請求項６】
請求項１から５のいずれかに記載のブーケの製法により製作されたことを特徴とするブーケ。
【発明の詳細な説明】
【技術分野】
【０００１】
本発明は、ブーケの製法、及び、ブーケに関する。
【背景技術】
【０００２】
従来、日本国内においては、（社）日本フラワーアレンジメント協会が中心となって、フラワーアレンジメントの普及・啓蒙活動が行われてきた。
その活動の中で、同協会は、フラワーアレンジメントの技術を取得した人向けの検定試験を実施している。検定試験においては、公平性を確保するため、感性や主観に頼らないで採点が行われる。このため、採点基準は、予め試験用の課題として公表されたブーケを、規格通りのサイズ、角度、形状で作成できるか否かが中心となる。
【０００３】
日本国内でフラワーアレンジメントを習得した人の多くは同協会の検定試験を受験するので、検定試験の課題となったブーケの規格が、基本的なブーケの規格として知られるようになった。そして、生花店やブーケの製作・販売を手がける事業者が一般消費者向けに提供するブーケも、同協会の規格に基づくものが大半を占めるようになった。
【０００４】
また、近年、フラワーアレンジメントの人気が高まるにつれて、ブーケの製作に興味を持つ人が増えており、技術的に未熟な人であってもブーケを製作できるような各種補助具も登場した（例えば、特許文献１参照。）。
【特許文献１】実公平３−４２８５６号公報
【０００５】
特許文献１に開示された花束ハンドルは、生花を結束してブーケを製作する場合に、ハンドル部分を簡単に仕上げられるようにするための部材である。
【発明の開示】
【発明が解決しようとする課題】
【０００６】
上述のように、日本国内においてフラワーアレンジメントを習得した人の多くが、上記協会が定めた規格を踏襲したブーケを製作するようになったため、生花店や各種業者が提供するブーケも、個人が製作するブーケも、上記協会の規格に準じた物が主流であった。
この規格によれば、ある一方向を前側と定め、前側から見た場合に美しい配置となるよう、全ての花及び葉の配置が定められる。ブーケの花や葉は、揺れ動いて位置がずれないようにワイヤーで強固に固定され、ワイヤーの位置も細かく指定される。例えば、特許文献１の第３図及び第４図には、花及び葉の固定方法が図示されているが、花については、ワイヤーが花の下半分に厳重に巻き付けられ、葉については葉の裏側全面がワイヤーで保持される。さらに、ワイヤーはフローラルテープによって被覆されるが、ワイヤーの強度を補強する意味から、フローラルテープは短いピッチで厚く巻かれる。このようにして、従来のブーケは、花及び葉を強固に固定したものであった。
【０００７】
このため、上記規格に準じたブーケには、次のような特徴がある。
１．特定の方向を前側と定め、前側から美しく見えることを前提にしているため、前側から見ないと美しく見えない。特に裏側に相当する面は「見せない」ことを前提としており、ワイヤー等が多く露出していて極めて見苦しい。また、横からは平面的に見えてしまう。このため、ブーケを持つ人は裏側が絶対に見えないようにブーケを持たなければならず、ブーケの裏側に形成されたハンドル（持ち手）を体の正面に保持し、かつ、体から離れないよう配慮する必要がある。
２．前面にワイヤー等が露出しないようにするため、花や葉が極めて密に配置され、ブーケを持つ人の衣装が完全に隠れてしまう。
３．ブーケを持って歩いても花や葉が全く動かないので、見た目に重く不自然な印象を与えてしまう。
【０００８】
以上の特徴から、上記規格に準じたブーケは、必ずしも美観に優れているわけではないといえる。しかし、上述したように、日本国内においては上記規格がブーケの規格として認識されているため、画一的でバリエーションに欠けるブーケが多用されるという事態を招いていた。
【０００９】
そこで、本発明は、ブーケを持つ人の動きに合わせて、花やグリーンが自然に揺れる個性的なブーケを実現することを目的とする。また、本発明は、どの方向から見ても美しく見え、持つ人の衣装を引き立てるブーケを実現することを目的とする。
【課題を解決するための手段】
【００１０】
請求項１記載の発明は、花にワイヤーを固定してなる花材と、グリーンにワイヤーを固定してなるグリーン材とのいずれかまたは両方を含む複数のブーケ材を用いてブーケを製作するためのブーケの製法であって、複数の前記ブーケ材を束ねてガーランドを製作し、１または複数の前記ブーケ材とともに芯材を束ねて芯入りガーランドを製作し、前記芯入りガーランドを中心として複数の前記ガーランドを束ねることによって前記ブーケを製作することを特徴とする。
【００１１】
ここで、花とは、生花の他、生の花に乾燥加工や着色加工等を施した加工花及び造花を含む。また、グリーンとは、生の植物の一部（葉、茎等）を切り出したもの、当該生の植物の一部に乾燥加工や着色加工等を施したもの、及び葉や茎を模した造花を含む。
【００１２】
請求項２記載の発明は、請求項１記載のブーケの製法において、前記芯入りガーランドを中心として複数の前記ガーランドを束ねる際に、前記芯入りガーランドと複数の前記ガーランドとをワイヤーによって結束し、前記ワイヤーにより結束される結束箇所を隠す位置に、前記グリーン材を含む前記ガーランド、或いは、前記グリーン材を配置することを特徴とする。
【００１３】
請求項３記載の発明は、請求項１または２記載のブーケの製法において、前記花材または前記グリーン材は、前記ワイヤーの上に別の前記ワイヤーを重ね、これら複数の前記ワイヤーを覆うようにフローラルテープを巻いて構成されることを特徴とする。
【００１４】
請求項４記載の発明は、請求項１から３のいずれかに記載のブーケの製法において、複数の前記ブーケ材を束ねて前記ガーランドを製作する際に、これら複数の前記ブーケ材のうち１以上の前記ブーケ材のワイヤーの一部を切除することを特徴とする。
【００１５】
請求項５記載の発明は、請求項１から４のいずれかに記載のブーケの製法において、前記花材を構成する花は、生の花に乾燥加工を施した加工花、若しくは造花であることを特徴とする。
【００１６】
請求項６記載の発明は、請求項１から５のいずれかに記載のブーケの製法により製作されたことを特徴とするブーケである。
【発明の効果】
【００１７】
請求項１記載の発明によれば、花にワイヤーを固定してなる花材と、グリーンにワイヤーを固定してなるグリーン材とのいずれかまたは両方を含む複数のブーケ材を用いてブーケを製作するためのブーケの製法において、複数のブーケ材を束ねてガーランドを製作し、１または複数のブーケ材とともに芯材を束ねて芯入りガーランドを製作し、芯入りガーランドを中心として複数のガーランドを束ねることによってブーケを製作するので、特定の面が前面となったり背面となったりすることがなく、どの方向から見ても美しい、花やグリーンの自然の形状を生かした立体感のあるブーケを製作することができる。また、特定の前面や背面が形成されないことから、ブーケを構成する花やグリーンがゆるく固定され、ブーケを持つ人の動きに合わせて自然にゆれ動くので、自然で軽やかな印象を与えるブーケを製作できる。さらに、ブーケを構成する花やグリーンが強固に固定されずにゆれ動くこと、ブーケが立体的な形状を有すること、及び、特定の面が形成されないことにより、花やグリーンの間に適度な空間が生じ、ブーケを持つ人の衣装が見える。このため、衣装を覆い隠してしまうことがなく、衣装と調和し、或いは衣装を引き立てるブーケを製作できる。
【００１８】
請求項２記載の発明によれば、芯入りガーランドを中心として複数のガーランドを束ねる際に、芯入りガーランドと複数のガーランドとをワイヤーによって結束し、ワイヤーにより結束される結束箇所を隠す位置に、グリーン材を含むガーランド、或いは、グリーン材を配置するので、ガーランドを結束するワイヤーが表面に露出せず、不自然さを感じさせない。
【００１９】
請求項３記載の発明によれば、花材またはグリーン材は、ワイヤーの上に別のワイヤーを重ね、これら複数のワイヤーを覆うようにフローラルテープを巻いて構成されるものであるから、これら複数のワイヤーの太さを適宜選択することにより、花やグリーンの揺れ方を細かく調節することができる。これにより、ブーケを持つ人の動きに合わせて、所望の揺れ方でゆれるブーケを製作できる。
【００２０】
請求項４記載の発明によれば、複数のブーケ材を束ねてガーランドを製作する際に、これら複数のブーケ材のうち１以上のブーケ材のワイヤーの一部を切除するので、複数のブーケ材を束ねても、全体としての柔らかさを任意の状態に調節することができる。これにより、ブーケを持つ人の動きに合わせて、所望の揺れ方でゆれるブーケを製作できる。
【００２１】
請求項５記載の発明によれば、花材を構成する花は、生の花に乾燥加工を施した加工花、若しくは造花であるので、花がしおれたり変色したりすることがなく、長期間にわたって美しい状態を保つことが可能なブーケを製作できる。
【００２２】
そして、請求項６記載の発明のように、請求項１から５のいずれかに記載のブーケの製法により製作されたブーケは、どの方向から見ても美しく、花やグリーンの自然の形状を生かした立体感のあるブーケとなる。また、ブーケを構成する花やグリーンが強固に固定されず、ブーケを持つ人の動きに合わせて自然にゆれ動くので、自然で軽やかな印象を与え、さらに、ブーケを持つ人の衣装と調和し、或いは衣装を引き立てるブーケを製作できる。
【発明を実施するための最良の形態】
【００２３】
以下、本発明の実施の形態を図面に基づき説明する。
図１は、本発明を適用した実施の形態としてのブーケを示す図面代用写真である。図１に示すブーケは、滝を模した形状からキャスケードブーケと呼ばれ、上部に花輪が配され、下部には花が垂れ下がる形態となっている。
【００２４】
従来のキャスケードブーケは、上部の花輪と下部とが別体として製作され、ワイヤー等により連結された形状であるが、本発明を適用したキャスケードブーケは、全体が一体となっている。
【００２５】
図１に示すように、本発明を適用したキャスケードブーケは、花が様々な方向を向いており、花の正面だけでなく側面をも見ることができ、花の立体的な形状を生かした構成となっている。また、花やグリーンは緩やかに固定され、ブーケを持つ人の動きに合わせて、自然に揺れるようになっている。また、下方に垂れ下がるキャスケード部においては、花及びグリーンがより一層緩やかに保持されており、ブーケを持つ人の動きに合わせて、より大きく揺れるよう構成されている。
【００２６】
さらに、図１に示すキャスケードブーケは、花やグリーンを結束して構成されたものであるが、結束部分が花及びグリーンによって隠されているため、見苦しさや不自然な印象を感じさせることは皆無である。
【００２７】
以下、図１に示すキャスケードブーケの製作方法について説明する。図１のキャスケードブーケは、花を加工したブーケ材３１（図２）、及び、グリーンを加工したブーケ材３２（図３，４）により構成される。
まず、ブーケ材３１の製作方法について図２を参照して説明する。
【００２８】
図２は、図１に示すキャスケードブーケを構成するブーケ材３１の製法を示す図であり、（ａ）は花１１にワイヤー２１を固定する方法を示し、（ｂ）はフローラルテープ２２の巻き方を示し、（ｃ）は完成したブーケ材３１を示す。
【００２９】
ブーケ材３１は、花１１にワイヤー２１を取り付け、ワイヤー２１をフローラルテープ２２によって覆ったものである。
花１１は、生花を用いても良いし、ドライフラワー或いはプリザーブドフラワー等、生花を乾燥させて得られる加工花を用いても良い。生花を用いた場合には自然な印象と美しさを演出することができる一方、加工花を用いた場合、花が変色したりしおれたりすることがないので、長期にわたって美しい状態を保つことができる。また、造花を用いた場合も同様の効果が得られる。なお、加工花を用いる場合、後述するグリーン１２，１３（図３，４）についても、生の草木を乾燥させて得られる加工草木若しくは造花を用いると、より効果的である。
【００３０】
ワイヤー２１は、造花・フラワーアレンジメント等に使用される金属製の線材であり、所定の弾性と柔軟性とを有し、手で容易に折り曲げ加工を施すことが可能である。
なお、以下に説明する全ての手順において、ワイヤー２１の太さは、花１１の重量及びサイズ、花１１の揺れ方を考慮して決定することが望ましいが、およそ＃２０（直径約０．９ｍｍ）〜＃２６（直径約０．４ｍｍ）程度のものであれば、花１１が緩やかに大きく揺れるようにすることができ、好ましい。なお、ワイヤー２１の材質によってワイヤー２１の弾性が異なるので、通常とは異なる材質のワイヤーを用いる場合は、ワイヤーの太さを変えることも当然に考慮される。
【００３１】
フローラルテープ２２は、フラワーアレンジメント等に使用される紙、布、不織布等からなる帯状のテープであり、一面に粘着剤または接着剤が塗布（付着）されていて、任意の場所に貼り付けられる。なお、フローラルテープ２２は、緑色、淡緑色、茶色等、様々な色のものが入手可能であり、ブーケのイメージに合わせて好みの色を用いることができる。
【００３２】
まず、花１１を用意する。花１１は、上述した生花または造花等から切り出される。ここで、花１１を切り出す際には、花１１の形状やサイズ等を考慮し、適宜、花柄、茎、枝等を残しても良い。
花１１にワイヤー２１を固定する際には、図２（ａ）に示すように、花１１の花托（かたく）１１ａにワイヤー２１を突き通し、ワイヤー２１を折り曲げてその両端側を撚り合わせる。
【００３３】
花１１においてワイヤー２１を固定する部位は、必ずしも花托１１ａに限定されるわけではない。しかしながら、ワイヤー２１を固定しても花の形状が崩れず、ワイヤー２１と花１１全体とを確実に連結し得る強度を有し、かつ、ブーケ材３１をブーケに用いた場合に外側からワイヤー２１が見えにくくなるような部位が好ましいことから考えると、花托１１ａは最も適した部位の一つであるといえる。従って、花托１１ａにワイヤー２１を固定することが難しい場合は、花１１の花柄にワイヤー２１を突き通しても良いし、図４（ａ）を参照して後述するように、茎にワイヤー２１を巻き付けても良い。
【００３４】
続いて、ワイヤー２１を花１１に固定した後、ワイヤー２１を覆い隠すように、フローラルテープ２２を巻き付ける。フローラルテープ２２の巻き始めは、花托１１ａ及びその近傍である。巻き始めの部分は、ほつれ（剥がれ）を防止するため比較的短いピッチで１〜２回巻き回し、その後は長いピッチでワイヤー２１の周囲を巻き回す。
このとき、ブーケ材３１を細く仕上げるため、フローラルテープ２２とワイヤー２１とがなす角（図中符号Ａ）が鋭角になるように、より好ましくは４５度以下になるようにフローラルテープ２２を巻く。フローラルテープ２２の幅はワイヤー２１よりも遙かに幅広であるから、フローラルテープ２２とワイヤー２１とがほぼ平行になったとしても、十分にワイヤー２１を包んで覆い隠すことができる。このため、ブーケ材３１を細く仕上げたい場合は、フローラルテープ２２とワイヤー２１とがなす角（図中符号Ａ）がほぼ０度になる程度に、長いピッチでフローラルテープ２２を巻くと良い。
なお、ワイヤー２１に巻き付けるフローラルテープ２２の厚みにより、ブーケ材３１の弾性、すなわち花１１の揺れ方が変化する点をも考慮しながらフローラルテープ２２を巻くと良い。
【００３５】
このように、花１１にワイヤー２１を固定して、さらにフローラルテープ２２を巻き付けることにより、図２（ｃ）に示すブーケ材３１が製作される。ワイヤー２１及びフローラルテープ２２の端部は、適切な長さを残して切断すれば良い。
【００３６】
次に、ブーケ材３２の製作方法について図３を参照して説明する。
図３は、図１に示すキャスケードブーケを構成するブーケ材３２の製法を示す図であり、（ａ）はグリーン１２にワイヤー２１を固定する方法を示し、（ｂ）はフローラルテープ２２の巻き方を示す。
【００３７】
ブーケ材３２は、グリーン１２にワイヤー２１を固定し、ワイヤー２１にフローラルテープ２２を巻き付けたものである。
図３には、グリーン１２として、複数の枝を有するグリーンを用いた例を示す。図３（ａ）に示すように、グリーン１２にワイヤー２１を取り付ける際には、ワイヤー２１を茎（ステム）の末端部１２ａに１〜２回程度巻き付けた上、つまむように捻り合わせる。
【００３８】
そして、図３（ｂ）に示すように、ワイヤー２１を覆い隠すようにフローラルテープ２２に巻き付ければ、ブーケ材３２ができあがる。フローラルテープ２２は、図２（ｂ）を参照して説明したように、フローラルテープ２２とワイヤー２１とがなす角が鋭角に保たれるように、好ましくは４５度以下に保たれるように巻く。フローラルテープ２２とワイヤー２１とが平行になるように巻いても良い。
【００３９】
図１に示すキャスケードブーケには、１本の枝からなるグリーンを用いることも可能である。この場合、図４に示すようにワイヤー２１を固定してブーケ材３２を製作する。
【００４０】
図４は、図１のキャスケードブーケを構成するブーケ材３２の製法を示す図であり、（ａ）はグリーン１３にワイヤー２１を固定する方法を示し、（ｂ）はフローラルテープ２２の巻き方を示す。
グリーン１３は、適当な長さに切断されたグリーンであり、その末端（図中右端）にワイヤー２１が固定される。グリーン１３にワイヤー２１を取り付ける際には、ワイヤー２１をグリーン１３の茎の末端部に１〜２回巻き付けた上、両端をつまむように捻り合わせる。ここで、グリーン１３において、ワイヤー２１が巻き付く部分の長さ（図中符号Ｂ）は、ワイヤー２１がグリーン１３から脱落しない範囲において、できるだけ短い方が好ましい。この部分は、フローラルテープ２２を巻く際の巻き始めになる部分であり、グリーン１３の茎よりも太くなってしまうことが多い。このため、図中符号Ｂで示す長さが長いと、フローラルテープ２２によって太くなった部分がキャスケードブーケの表面に露出し、見栄えを損なう可能性がある。従って、図中符号Ｂで示す長さは、可能であれば、１ｃｍ（センチメートル）以下であると良く、好ましくは８ｍｍ（ミリメートル）以下、より好ましくは５ｍｍ程度である。
【００４１】
そして、グリーン１３にワイヤー２１を巻き付けた部分、及び、捻り合わされたワイヤー２１にフローラルテープ２２を巻き付ければ、ブーケ材３２ができあがる。上述したブーケ材３１，３２の製作方法と同様に、フローラルテープ２２は、ワイヤー２１に対して鋭角若しくは平行を保つように巻くと良い。
【００４２】
なお、図４に示す製作方法によれば、グリーン１３の末端にのみワイヤー２１が巻き付けられるので、グリーン１３全体の長さを自由に調節することができる。このため、図４に示すブーケ材３２を製作するにあたって、グリーン１３の長さは、自然な印象を演出するために長めに残しても良いし、葉の部分のみを用いる目的で短くカットしても良く、ブーケ全体の構成を考慮しつつ、任意の長さにカットすれば良い。
【００４３】
このように製作されたブーケ材３１，３２は、ブーケを構成する基本部材となる。そして、ブーケを持った人の動きに合わせて、ワイヤー２１が適度にしなる事により、自然な揺れが演出される。
ブーケ材３１，３２の揺れ方は、主として、ワイヤー２１の弾性に依存する。勿論、フローラルテープ２２が伸縮性に欠ける素材からなる場合、フローラルテープ２２の拘束力によってワイヤー２１の見かけ上の弾性（剛性）が増すことがあるが、上述した方法によれば、フローラルテープ２２はなるべく厚くならないように巻くこととしているので、ワイヤー２１の弾性が極めて重要な要素となる。
【００４４】
上述のように、本実施の形態で用いるワイヤー２１の太さは概ね＃３０〜＃２４であるが、より強い弾性が必要な場合、複数のワイヤーを継ぎ足す方法を用いると良い。
すなわち、図５に示すように、グリーン１３に取り付けられたワイヤー２１にフローラルテープ２２を巻き付ける際に、適当な長さに切断した追加ワイヤー２１ａを、ワイヤー２１の端部に継ぎ足すように一部分のみ重ねて沿わせ、ワイヤー２１及び追加ワイヤー２１ａを覆うようにフローラルテープ２２を巻き付ける。一例としては、ワイヤー２１の太さが＃３０〜＃２８程度である場合に、追加ワイヤー２１ａとしては、＃２２，＃２４程度のものを用いる。
この方法を用いれば、グリーン１３に取り付けられたワイヤーが、グリーン１３から離れた位置においては太く強く、グリーン１３に近づくにつれてしなやかになる構成を実現できる。これにより、グリーン１２が風に揺れてなびくようにする等、グリーン１２の揺れ方を効果的に演出できる。
【００４５】
図６には、図５を参照して説明した方法を花１１，１４を用いた場合に適用した例を示す。図６に例示する花１１は大輪の花であり、花１４はミニバラ等の小さな花（いわゆるミニ輪）である。
図６（ａ）及び（ｂ）に示すように花１１，１４を用いた場合も、図５に示す例と同様に、ワイヤー２１の端部に継ぎ足すように、追加ワイヤー２１ａを一部分のみ重ねて沿わせ、その上からフローラルテープ２２を巻く方法により上記構成を実現できる。
なお、図６（ａ）に示すように大輪の花１１を用いる場合、ワイヤー２１としては＃２０〜＃２６程度のワイヤーを用い、追加ワイヤー２１ａとしては、＃２０〜＃２２程度のワイヤーを用いると良い。また、図６（ｂ）に示すようにミニ輪の花１４を用いる場合、ワイヤー２１としては＃２４〜＃３０程度のワイヤーを用い、追加ワイヤー２１ａとしては＃２２〜＃２４程度のワイヤーを用いると良い。
このように、ワイヤー２１に追加ワイヤー２１ａを継ぎ足すことで、花１１，１４に近づくにつれて徐々にワイヤーがしなやかになる構成を実現できる。この構成によれば、花１１，１４が風に揺れてなびくようにする等、花１１，１４の揺れ方を効果的に演出できる。
【００４６】
ブーケを製作する際には、以上のように製作されたブーケ材３１，３２を用いて、ガーランド１を製作する。
図７は、図２〜図６に示す製法により製作されたブーケ材３１，３２を用いたガーランド１の構成を示す図である。ガーランド１は花綱とも呼ばれ、図７に示すように、花１１やグリーン１２，１３が一本の綱のように繋がった形状を有する。
【００４７】
ガーランド１は、任意の数のブーケ材３１，３２を適宜束ねて、その上からフローラルテープ２２を巻き付けて結束することにより、製作される。
ブーケ材３１，３２を束ねる際には、まず、中心となる仮想軸線を設定し、この仮想軸線に沿うように最初のブーケ材の位置を決めて手に持ち、続いてもう一方の手で、同じく仮想軸線に沿うように次のブーケ材の位置を決めて、最初のブーケ材と重ねて手に持つ。以後、この動作を繰り返して複数のブーケ材を所望の位置に配置した上、これら複数のブーケ材をフローラルテープ２２によって結束する。なお、ブーケ材をフローラルテープ２２により結束する作業は、ブーケ材を一本増やす毎に行っても良いし、複数のブーケ材を手に持った状態で保持し、まとめてフローラルテープ２２により結束するようにしても良い。
【００４８】
そして、結束された複数のブーケ材について、それぞれの花１１やグリーン１２の用途や役割（演出効果）をもとに花１１やグリーン１２の向きや位置を決定し、花１１やグリーン１２を適宜引っ張りながらワイヤーを曲げる作業を行う。この作業により、花１１やグリーン１２が所望の方向を向いたガーランド１を製作できる。
【００４９】
なお、ガーランド１を構成するブーケ材３１，３２は、先端の位置が異なる位置に来るように束ねることもできる。すなわち、一本のガーランド１の先端だけでなく、ガーランド１の中程から花１１やグリーン１２，１３が露出する形状としても良い。このような構成とすれば、ブーケの仕上がりが画一的にならず、より自然な印象を演出できる。
【００５０】
ブーケ材３１またはブーケ材３２を束ね、フローラルテープ２２を巻き付ける場合、花１１やグリーン１２，１３の先端からフローラルテープ２２で結束された結束点までの長さ（例えば、図中符号Ｃ）は任意であるが、長めにすると花１１やグリーン１２，１３が大きく揺れ、短くすると花１１やグリーン１２，１３が小さく、速く揺れる。従って、図中符号Ｃで示すような先端から結束点までの長さを調節することによって、所望の揺れ方で、花１１やグリーン１２，１３を揺らすことができる。
【００５１】
また、ガーランド１を製作する際に、全てのブーケ材３１，３２を完全に束ねてまとめてしまうと、ガーランド１が太くなり、全体の強度が増してしまい、所望の揺れ方を実現できないことがある。ガーランド１は、ガーランド１に結束された花１１やグリーン１２，１３がそれぞれ揺れるだけでなく、ガーランド１全体が揺れることもあり、その揺れ方はブーケ全体の印象を大きく決定づける重要な要素である。
【００５２】
ガーランド１を構成するブーケ材３１，３２の数が多いと、ガーランド１全体が太くなってしまうが、そのような場合は、図８に示すように、束ねるブーケ材３１の一部を切断すると良い。図８に示す例では、ブーケ材３１を、中程の点Ｄで切断しているが、この場合、点Ｄより下方を除くことで、ガーランド１の下部は太くならない。これにより、ガーランド１に連なる花１１やグリーン１２，１３の数を増やしつつ、ガーランド１全体の柔らかさを保ち、ブーケをしなやかに仕上げることができる。
なお、図８に示すようにブーケ材３１の一部を切断して束ねる手順は次の通りである。まず、束ねられる側のブーケ材３１，３２と切断されるブーケ材３１との位置を、揺れ方を考慮しながら好みの位置に合わせ、全てのブーケ材３１，３２をフローラルテープ２２によって一部分のみ結束して固定する。このとき、フローラルテープ２２は、切断する部分に重ならない位置に巻く。そして、ブーケ材３１の一部を、例えば図８中に符号Ｄで示す位置で切断し、全てのブーケ材３１，３２にフローラルテープ２２を巻く。この一連の操作により、ブーケ材３１，３２が好みの位置からずれないようにワイヤー２１を切断することができる。
【００５３】
以上のように製作したガーランド１を１本用い、若しくは複数束ねることにより、図１に示すキャスケードブーケを製作する。
複数のガーランド１を束ねてブーケを製作する場合、まず、中心となる仮想軸線を決め、この仮想軸線に沿うように最初の一本のガーランド１の位置を決めてガーランド１を手に持つ。続いて、ブーケの仕上がりをイメージしながら、上記仮想軸線に沿うように次のガーランド１の位置を決めて、最初のガーランド１と重ねて手に持つ。以後、この動作を繰り返して複数のガーランド１を追加し、各ガーランド１が所望の位置になるよう手に持って作業を続ける。そして、束ねた複数のガーランド１の中に、適宜ブーケ材３１やブーケ材３２を差し入れてブーケ全体の形状を整え、最後にフローラルテープ２２によって結束する。
【００５４】
ここで、中心となるガーランド１は、他のガーランド１に比べて強い弾性を有し、容易に屈曲しないものであることが好ましい。ブーケの中心線が明らかになってバランス良くブーケを製作できる上、作業中の安定性が向上するからである。
そこで、中心となるガーランド１、すなわち最初のガーランド１には、図９に示すように、ガーランド１を補強する芯材３３を添える。芯材３３は、複数のワイヤー２１を適当な長さに切断して束ね、フローラルテープ２２を巻き付けて一本の棒状に成形したものである。芯材３３をガーランド１に添え、その上からフローラルテープ２２を巻き付けることにより、強い弾性を有するガーランド１が得られる。
【００５５】
そして、芯材３３を有するガーランド１を中心にして、図１０に示すように複数のガーランド１を束ね、結束部Ｅにおいてワイヤー２１によって束を締め付けることにより、ブーケが完成する。
なお、一本のガーランド１のみを用いてブーケを製作することも勿論可能であり、例えば、一本のガーランド１に複数のブーケ材３１，３２を重ねることによってブーケを製作することができ、ガーランド１の数や使用するブーケ材３１，３２の数は任意である。
【００５６】
なお、複数のガーランド１を束ねてワイヤー２１によって締め付けた後、全てのガーランド１及びブーケ材３１，３２を、フローラルテープ２２によってさらに束ねても良い。この場合、ガーランド１及びブーケ材３１，３２の下端までフローラルテープ２２を巻き付けて、末端に露出するワイヤー２１を覆い隠せば、尖った部分が覆われるので、安心してブーケを持つことができる。
【００５７】
また、複数のガーランド１をフローラルテープ２２によって束ねた後、ブーケを持ちやすい用に把持部（ハンドル）を形成しても良い。この把持部は、ブーケの中心部にフローラルテープ２２を厚めに巻くことで、容易に形成することができる。
さらに、図１０の結束部Ｅにおけるワイヤー２１を隠すため、別のブーケ材３２をガーランド１に添えてフローラルテープ２２で固定しても良い。この場合、ワイヤーが露出しないので、ブーケを見る人に人工的な印象を感じさせず、自然な印象を演出できる。
【００５８】
図１１及び図１２は、以上の方法によって製作されるキャスケードブーケを、図１とは別の方向から見た状態を示す図面代用写真である。
図１１は、図１のキャスケードブーケを背面から見た状態を示す。図１１に示す面は、ブーケを持つ人の側を向く面であって、従来のブーケでは他人に見えないようにすべき面であった。本発明を適用したキャスケードブーケは、図１１に示す面においても、花の正面や側面が見られ、立体的な印象を与える。また、花１１やグリーン１２，１３の向きが画一的でないので、自然な印象が感じられる。
【００５９】
なお、図１１の図面代用写真においては、キャスケードブーケの下部が布によって隠されているが、この布は、ブーケの装飾の一例としてドレス用の布をあしらったものである。本発明のブーケには、図１１に示す例とは別に、各種の装飾を施すことが可能である。例えば、本発明をウェディングブーケに適用した場合、ウェディングドレスの共布を用意し、この共布に、ブーケ材３１，３２と同様にワイヤー２１及びフローラルテープ２２を組み付けて、ガーランド１の制作時にブーケ材３１，３２とともに束ねることができる。これにより、あたかもブーケが衣装から浮き出るように見せることにより、ブーケとウェディングドレスの一体感を演出できる。
【００６０】
図１２は、図１のキャスケードブーケを側面から見た状態を示す。図１２に示す面は、ブーケを持つ人が移動する際に、周囲の人から比較的よく見える面である。従来のブーケでは、この面は極めて平面的に見え、場合によっては葉の裏側のワイヤーが露出し、見苦しく感じられることもあった。本発明を適用したブーケは、花１１やグリーン１２，１３が立体的に配置されており、図１２に示す面から見ても花１１やグリーン１２，１３が美しく見える。すなわち、本発明を適用したブーケは、どの方向から見ても美しい、立体的なブーケである。
【００６１】
さらに、本発明を適用したブーケは、上述のようにガーランド１を束ねて構成され、ガーランド１を構成するブーケ材３１，３２は、緩やかに揺れる余地を残して固定される。従って、本発明を適用したブーケは、持つ人の動きに合わせて、自然に、緩やかに揺れ、軽やかな印象を与える。
また、ブーケ材３１，３２やガーランド１の揺れ方を適宜調節することができるので、ブーケを持つ人の衣装のイメージに合わせた揺れ方を演出することが可能であり、衣装を引き立て、衣装との一体感を醸し出すことができる。そして、ガーランド１を束ねた構成により、ブーケの隙間から衣装が見えるので、様々な衣装に違和感なく合わせることが可能である。
【００６２】
なお、以上のように製作されるキャスケードブーケにおいて、花１１やグリーン１２，１３の揺れ方は、ワイヤー２１の弾性、フローラルテープ２２の巻き方、及び、花１１やグリーン１２，１３の先端から結束点までの距離によって決定される。このうち、ワイヤー２１の弾性が高い（つまり、硬い）と、花１１やグリーン１２，１３は短周期で小さく揺れる。一方、ワイヤー２１の弾性が低い（つまり、柔らかい）と、花１１やグリーン１２，１３は長周期で大きく揺れる。また、花１１やグリーン１２，１３の先端から結束点までの距離が短いと花１１やグリーン１２，１３が短周期で小さく揺れ、花１１やグリーン１２，１３の先端から結束点までの距離が長いと、花１１やグリーン１２，１３が長周期で大きく揺れる。さらに、フローラルテープ２２をワイヤー２１に厚く巻いた場合、ワイヤー２１の弾性が高められる効果がある。
【００６３】
従って、ワイヤー２１の弾性、フローラルテープ２２の巻き方、及び、花１１やグリーン１２，１３の先端から結束点までの距離を適宜調整することにより、所望の揺れ方を実現することができる。なお、ワイヤー２１の弾性は、上述したようにワイヤー２１の太さを変えたり、別のワイヤー２１を重ねたり、重ねられるワイヤー２１の一部を切断したりすることで、容易に調節可能である。
【００６４】
なお、本発明を適用したブーケに用いる花は、ラン、カトレア、バラ、カサブランカ、デルフィニウム、ブルースター、ガーベラ等、好みのものを用いることができ、花の種類及び色について何ら制限されない。また、グリーンとしては、ゴットセフィアナ、シダ類、アスパラガス、スマイラックス、アイビー、ピットスポルム、ミスカンサス、ユーカリポプラス等、好みのものを用いることができる。さらに、上記の花及びグリーンを装飾するものとして、シルバーブローニア、バーゼリア、ヒペリカム、ユーカリポプラス、ビバーナムティナス等の実を用いることも可能であるし、パールや羽毛、ビーズ等の装飾品を用いても良く、上述のようにブーケを持つ人のドレスの共布を用いることも可能である。
【００６５】
また、生花から切り出した花１１を用いてなるブーケ材３１を製作する際、花１１の切り口に、保水性を有する不織布等の保水材をあてがい、当該保水材に水を含ませた上でフローラルテープ２２を巻くようにしても良い。この場合、花１１に水分が供給されることにより、花１１の乾燥としおれを抑制し、長時間にわたって美しい状態を保つことができるという利点がある。グリーン１２，１３についても同様のことがいえる。
【００６６】
さらに、花１１を用いてなるブーケ材３１とグリーン１２，１３を用いてなるブーケ材３２との組み合わせは任意であり、例えば、ブーケ材３１のみを用いて一つのガーランド１を構成することも可能であるし、ブーケ材３２のみからなるガーランド１を製作することもでき、ブーケ全体のデザインに基づいて、任意に組み合わせて良い。その他の細部構成についても、本発明の趣旨を損なうことのない範囲において適宜変更可能であることは勿論である。
【図面の簡単な説明】
【００６７】
【図１】本発明の実施の形態としてのキャスケードブーケを示す図面代用写真である。
【図２】図１に示すキャスケードブーケを構成するブーケ材の製法を示す図であり、（ａ）は花にワイヤーを固定する方法を示し、（ｂ）はフローラルテープの巻き方を示し、（ｃ）は完成したブーケ材を示す。
【図３】図１に示すキャスケードブーケを構成するブーケ材の製法を示す図であり、（ａ）はグリーンにワイヤーを固定する方法を示し、（ｂ）はフローラルテープの巻き方を示す。
【図４】図１に示すキャスケードブーケを構成するブーケ材の製法を示す図であり、（ａ）はグリーンにワイヤーを固定する方法を示し、（ｂ）はフローラルテープの巻き方を示す。
【図５】図１に示すキャスケードブーケを構成するブーケ材の別の製法を示す図である。
【図６】図１に示すキャスケードブーケを構成するブーケ材の別の製法を示す図である。
【図７】図２〜図５に示す製法により製作されたブーケ材を用いたガーランドの構成を示す図である。
【図８】図７に示すガーランドの製法の一例を示す図である。
【図９】図７に示すガーランドの製法の一例を示す図である。
【図１０】図７に示すガーランドを複数束ねる方法を示す図である。
【図１１】図１に示すキャスケードブーケを別の方向から見た図面代用写真である。
【図１２】図１に示すキャスケードブーケを別の方向から見た図面代用写真である。
【符号の説明】
【００６８】
１  ガーランド
１１，１４  花
１２，１３  グリーン
２１，２１ａ  ワイヤー
２２  フローラルテープ
３１，３２  ブーケ材
３３  芯材
【図２】
2006009164.tif 000003
【図３】
2006009164.tif 000004
【図４】
2006009164.tif 000005
【図５】
2006009164.tif 000006
【図６】
2006009164.tif 000007
【図７】
2006009164.tif 000008
【図８】
2006009164.tif 000009
【図９】
2006009164.tif 000010
【図１０】
2006009164.tif 000011
【図１】
2006009164.tif 000012
【図１１】
2006009164.tif 000013
【図１２】
2006009164.tif 000014